(57)【要約】【課題】原稿の読み取り完了までに要する時間が改善された画像読取装置、画像読取制御方法、及び画像読取制御プログラムを提供すること。【解決手段】本発明によれば、プレスキャン手段による原稿の読み取りを行う第２の読取手段が、本スキャン手段による原稿の読み取りを行う第１の読取手段より搬送経路を遡る側に設けられており、本スキャン手段による原稿の表面の読み取りを行う前に、プレスキャン手段による原稿の一面の読み取りを実行し、検知手段による原稿サイズの検知を行う。よって、プレスキャン手段による原稿の読み取りの完了後、原稿の副走査方向先端が、本スキャン手段による原稿の読取位置である第１の読取手段による読取位置まで搬送される原稿の移動時間を、検知手段による原稿サイズの検知を行う期間に充てることができるので、その移動時間分だけ、原稿の読み取りの全工程が終了するまでに要する時間を短縮できる。【選択図】図１
2010199978.tif 000002
【特許請求の範囲】
【請求項１】
原稿を搬送する搬送手段と、その搬送手段により搬送される原稿の表面を主走査方向に読み取る第１の読取手段と、前記第１の読取手段により読み取った前記原稿の表面の画像データを記憶する第１の記憶手段とを備えた画像読取装置であって、
前記第１の読取手段による読取位置から、前記搬送方向を遡る側に所定距離だけ離間した位置にて、該原稿の一面を主走査方向に読み取る第２の読取手段と、
その第２の読取手段により読み取った前記原稿の画像データを記憶する第２の記憶手段と、
前記搬送手段により搬送される原稿が前記第２の読取手段による読取位置に到達した場合に、該原稿の搬送方向先端から前記搬送方向に、前記第１の読取手段による読取位置と前記第２の読取手段による読取位置との離間距離より短い所定範囲に亘って前記第２読取手段による該原稿の読み取りを実行して、その読み取りにより得られた画像データを前記第２の記憶手段に記憶するプレスキャン手段と、
そのプレスキャン手段によって前記第２の記憶手段に記憶された画像データに基づいて、前記原稿に対する原稿サイズの検知を行う検知手段と、
前記搬送手段により搬送される原稿が前記第１の読取手段による読取位置に到達した場合に、前記第１読取手段による該原稿の表面の読み取りを要求に従う読取解像度で実行して、その読み取りにより得られた画像データを前記第１の記憶手段に記憶する本スキャン手段と、
前記検知手段により検知された原稿サイズに基づき、前記第１の記憶手段に記憶されている画像データを処理する画像処理手段とを備えていることを特徴とする画像読取装置。
【請求項２】
前記第２の読取手段は、前記原稿の裏面を読み取るものであることを特徴とする請求項１記載の画像読取装置。
【請求項３】
前記プレスキャン手段による読み取りの終了位置以降に前記原稿を搬送する搬送速度を、両読取位置間の搬送距離と前記要求に従う読取解像度とに基づいて、｛（前記離間距離−前記プレスキャン手段による副走査方向の読み取り長さ）／前記検知手段による原稿サイズの検知の開始から終了までの時間｝より小さい値に設定すると共に、前記第１の読取手段が該原稿の一面の副走査方向を読み取る速度として継続する搬送速度制御手段を備えていることを特徴とする請求項１又は２に記載の画像読取装置。
【請求項４】
前記本スキャン手段により得られた画像データに従う記録を要求された記録画質で記録媒体に施す記録手段と、
前記プレスキャン手段による読み取りの終了位置以降に前記原稿を搬送するときの搬送速度を記録画質及び／又は記録媒体の種類に関連付けて記憶する第３の記憶手段と、
記録画質の要求値及び／又は記録媒体の種類の要求値を入力する要求値入力手段とを備え、
前記搬送速度制御手段は、前記要求値入力手段により入力された要求値に基づき、前記第３の記憶手段に記憶される内容から前記搬送速度を決定し、該搬送速度を制御するものであることを特徴とする請求項３記載の画像読取装置。
【請求項５】
原稿を搬送する搬送手段と、その搬送手段により搬送される原稿の表面を主走査方向に読み取る第１の読取手段と、前記第１の読取手段により読み取った前記原稿の表面の画像データを記憶する第１の記憶手段とを有する画像読取装置にて、前記第１の読取手段による前記原稿の表面の読み取りを制御する画像読取制御方法であって、
前記画像読取装置は、
前記第１の読取手段による読取位置から、前記搬送方向を遡る側に所定距離だけ離間した位置にて、該原稿の一面を主走査方向に読み取る第２の読取手段と、
その第２の読取手段により読み取った前記原稿の画像データを記憶する第２の記憶手段とを有しており、
前記搬送手段により搬送される原稿が前記第２の読取手段による読取位置に到達した場合に、該原稿の搬送方向先端から前記搬送方向に、前記第１の読取手段による読取位置と前記第２の読取手段による読取位置との離間距離より短い所定範囲に亘って前記第２読取手段による該原稿の読み取りを実行して、その読み取りにより得られた画像データを前記第２の記憶手段に記憶するプレスキャン工程と、
そのプレスキャン工程において前記第２の記憶手段に記憶された画像データに基づいて、前記原稿に対する原稿サイズの検知を行う検知工程と、
前記搬送手段により搬送される原稿が前記第１の読取手段による読取位置に到達した場合に、前記第１読取手段による該原稿の表面の読み取りを要求に従う読取解像度で実行して、その読み取りにより得られた画像データを前記第１の記憶手段に記憶する本スキャン工程と、
前記検知工程により検知された原稿サイズに基づき、前記第１の記憶手段に記憶されている画像データを処理する画像処理工程とを含んで構成されることを特徴とする画像読取制御方法。
【請求項６】
原稿を搬送する搬送手段と、その搬送手段により搬送される原稿の表面を主走査方向に読み取る第１の読取手段と、前記第１の読取手段により読み取った前記原稿の表面の画像データを記憶する第１の記憶手段とを有する画像読取装置を制御するコンピュータに実行させるための画像読取プログラムであって、
前記画像読取装置は、
前記第１の読取手段による読取位置から、前記搬送方向を遡る側に所定距離だけ離間した位置にて、該原稿の一面を主走査方向に読み取る第２の読取手段と、
その第２の読取手段により読み取った前記原稿の画像データを記憶する第２の記憶手段とを有しており、
前記搬送手段により搬送される原稿が前記第２の読取手段による読取位置に到達した場合に、該原稿の搬送方向先端から前記搬送方向に、前記第１の読取手段による読取位置と前記第２の読取手段による読取位置との離間距離より短い所定範囲に亘って前記第２読取手段による該原稿の読み取りを実行して、その読み取りにより得られた画像データを前記第２の記憶手段に記憶するプレスキャンステップと、
そのプレスキャンステップにより前記第２の記憶手段に記憶された画像データに基づいて、前記原稿に対する原稿サイズの検知を行う検知ステップと、
前記搬送手段により搬送される原稿が前記第１の読取手段による読取位置に到達した場合に、前記第１読取手段による該原稿の表面の読み取りを要求に従う読取解像度で実行して、その読み取りにより得られた画像データを前記第１の記憶手段に記憶する本スキャンステップと、
前記検知ステップにより検知された原稿サイズに基づき、前記第１の記憶手段に記憶されている画像データを処理する画像処理ステップとを、前記コンピュータに実行させるものであることを特徴とする画像読取プログラム。
【発明の詳細な説明】
【技術分野】
【０００１】
本発明は、画像読取装置、画像読取制御方法、及び画像読取制御プログラムに関するものである。
【背景技術】
【０００２】
スキャナやコピー機などの画像読取装置の中には、読取対象原稿のサイズ（原稿サイズ）を自動的に検知するものがある。例えば、特許文献１には、搬送される原稿両面に対して対向配置される一対の画像センサを用い、各種原稿サイズに対して正確な両面原稿検出ができる両面複写装置が記載されている。
【０００３】
ここで、図４及び図５を参照して、自動原稿搬送機構であるオート・ドキュメント・フィーダ（以下、「ＡＤＦ」と称する）を用いて原稿の読み取りを行う場合に、原稿サイズの検知を含む従来の画像読み取りについて説明する。なお、ＡＤＦを用いた原稿Ｐの読み取りを、以下では「ＡＤＦ読取」と称する。図４（ａ）は、ＡＤＦ１０４を有するスキャナ１００の主な構成を示す模式図である。
【０００４】
図４（ａ）に示すように、スキャナ１００は、フラットベッドスキャナとして機能する原稿載置台１０２と、その原稿載置台１０２を覆うカバーであって、給紙トレイ１０３と排紙トレイ（図示せず）と給紙トレイ１０３から排紙トレイまで図示されない搬送経路に沿って原稿Ｐを搬送させるＡＤＦ１０４とを有する原稿カバー１０５と、原稿載置台１０２の上面に配設された読取ガラス（図示せず）の下方に、読取ガラス越しに写る原稿Ｐの読取面を読み取り可能な読取ユニット１０６ａとを含んで構成される。なお、読取ユニット１０６ａは、コンタクトイメージセンサ（以下、「ＣＩＳ」と称する）と光源とから構成されるものであり、主走査方向（紙面垂直方向）に沿って設けられている。
【０００５】
読取ユニット１０６ａは、読取ガラス越しに写る原稿Ｐの読取面に光源から照射される光の反射光をＣＩＳによって受光し、原稿Ｐの読取面を１ラインずつ読み取る。ＡＤＦ１０４を用いて原稿Ｐの読み取りを行う（以下、「ＡＤＦ読取」と称する）場合には、読取ユニット１０６ａは、ＡＤＦ１０４により搬送される原稿Ｐを読み取り可能な所定位置に位置され、原稿Ｐを副走査方向（矢印Ｙ方向）に搬送させながら、読取面を１ラインずつ順次読み取る。
【０００６】
図４（ｂ）は、ＡＤＦ読取時における原稿サイズ検知の一例を説明するための模式図である。図４（ｂ）に示すように、ＡＤＦ読取時には、副走査方向（矢印Ｙ方向）に搬送される原稿Ｐの先端が読取ユニット１０６ａによる読取位置１０６ａ１に到達すると、その先端から距離Ｌ（例えば、３０ｍｍ）に亘る範囲の画像データを用いて原稿サイズの検知を行う。この距離Ｌに亘る範囲では、主走査方向（矢印Ｘ方向）の読取範囲を最大の読取範囲Ｗａで読み取る。
【０００７】
この（読取範囲Ｗａ×距離Ｌ）の領域の読取画像データから、エッジ抽出画像を作成し、そのエッジ抽出画像から、原稿Ｐの１辺の寸法（多くの場合は、短手幅）を求め、予め記憶されている原稿サイズに対する寸法（例えば、Ａ４サイズの短手幅であれば２１０ｍｍ）に基づき、原稿サイズが検知される。また、この読取画像データから、原稿Ｐの主走査方向に対する傾きも検出することができる。
【０００８】
図５は、従来のＡＤＦ読取による画像読取処理を示すフローチャートである。この処理は、スキャナ１００に対し、ＡＤＦ読取による画像読取を行うよう指示すると起動し、給紙トレイ１０３に配置された原稿Ｐの搬送を開始し（Ｓ１０１）、原稿Ｐの先端が読取位置１０６ａ１に到達したか否かを確認し（Ｓ１０２）、原稿Ｐの先端が読取位置１０６ａ１に到達していなければ（Ｓ１０２：Ｎｏ）、Ｓ１０２の処理へ戻る。そして、原稿Ｐの先端が読取位置１０６ａ１に到達すると（Ｓ１０２：Ｙｅｓ）、読取ユニット１０６ａによる１ラインの画像読み取りを読取範囲Ｗａ（図４（ｂ）参照）で実行する（Ｓ１０３）。なお、Ｓ１０３の処理では、要求された読取解像度で原稿Ｐの読み取りを行う。
【０００９】
Ｓ１０３の処理後、読み取った画像データを、その解像度を落とした上で、図示されないＲＡＭ内に設けられた第１ラインバッファ（図示せず）に格納する（Ｓ１０４）。さらに、Ｓ１０３の処理により読み取った画像データを、ＲＡＭ内に設けられた第２ラインバッファ（図示せず）に格納する（Ｓ１０５）。
【００１０】
Ｓ１０５の処理後、距離Ｌ（図４（ａ）参照）分の読み取りが終了したか否かを確認し（Ｓ１０６）、未だ終了していなければ（Ｓ１０６：Ｎｏ）、Ｓ１０３へ戻り、次の１ラインの読み取りを行う。一方、距離Ｌ分の読み取りが終了していれば（Ｓ１０６：Ｙｅｓ）、原稿Ｐの搬送を停止し（Ｓ１０７）、第１ラインバッファに格納されている画像データを用いて、周知の原稿サイズ検知処理を実行する（Ｓ１０８）。
【００１１】
原稿サイズ検知処理（Ｓ１０８）の実行後、原稿Ｐの搬送を再開し（Ｓ１０９）、読取ユニット１０６ａによる次の１ラインの画像読み取りを読取範囲Ｗａで実行する（Ｓ１１０）。なお、Ｓ１１０の処理では、要求された読取解像度で原稿Ｐの読み取りを行う。即ち、Ｓ１０９の処理により原稿Ｐの搬送が再開されると、Ｓ１０７の処理により搬送が停止される直前に読み取ったラインの続きから、要求された読取解像度で原稿Ｐの読み取りを行う。
【００１２】
Ｓ１１０の処理後、読み取った画像データを第２ラインバッファに格納し（Ｓ１１１）、原稿Ｐの読み取りが終了したか否かを確認する（Ｓ１１２）。ここで、原稿Ｐの読み取りが未だ終了していなければ（Ｓ１１２：Ｎｏ）、Ｓ１１０へ戻り、次の１ラインの読み取りを行う。
【００１３】
一方、原稿Ｐの読み取りが終了した場合には（Ｓ１１２：Ｙｅｓ）、第２ラインバッファに格納されている画像データを、Ｓ１０８の原稿サイズ検知処理による処理結果に基づいて処理し、処理後の画像データをＲＡＭ内の所定領域に格納し（Ｓ１１３）、画像読取処理を終了する。
【先行技術文献】
【特許文献】
【００１４】
【特許文献１】特開平５−７２８５４号公報
【発明の概要】
【発明が解決しようとする課題】
【００１５】
しかしながら、上述した画像読取処理（図５参照）は、原稿サイズ検知処理（Ｓ１０８）を実行するために、原稿Ｐの搬送を一旦停止しなければならず、その分、原稿Ｐ全体の読み取りに要する時間が遅くなるという問題点があった。
【００１６】
本発明は、上述した問題点を解決するためになされたものであり、原稿の読み取り完了までに要する時間が改善された画像読取装置、画像読取制御方法、及び画像読取制御プログラムを提供することを目的としている。
【課題を解決するための手段】
【００１７】
この目的を達成するために、請求項１記載の画像読取装置は、原稿を搬送する搬送手段と、その搬送手段により搬送される原稿の表面を主走査方向に読み取る第１の読取手段と、前記第１の読取手段により読み取った前記原稿の表面の画像データを記憶する第１の記憶手段とを備えたものであって、前記第１の読取手段による読取位置から、前記搬送方向を遡る側に所定距離だけ離間した位置にて、該原稿の一面を主走査方向に読み取る第２の読取手段と、その第２の読取手段により読み取った前記原稿の画像データを記憶する第２の記憶手段と、前記搬送手段により搬送される原稿が前記第２の読取手段による読取位置に到達した場合に、該原稿の搬送方向先端から前記搬送方向に、前記第１の読取手段による読取位置と前記第２の読取手段による読取位置との離間距離より短い所定範囲に亘って前記第２読取手段による該原稿の読み取りを実行して、その読み取りにより得られた画像データを前記第２の記憶手段に記憶するプレスキャン手段と、そのプレスキャン手段によって前記第２の記憶手段に記憶された画像データに基づいて、前記原稿に対する原稿サイズの検知を行う検知手段と、前記搬送手段により搬送される原稿が前記第１の読取手段による読取位置に到達した場合に、前記第１読取手段による該原稿の表面の読み取りを要求に従う読取解像度で実行して、その読み取りにより得られた画像データを前記第１の記憶手段に記憶する本スキャン手段と、前記検知手段により検知された原稿サイズに基づき、前記第１の記憶手段に記憶されている画像データを処理する画像処理手段とを備えている。
【００１８】
請求項２記載の画像読取装置は、請求項１記載の画像読取装置において、前記第２の読取手段は、前記原稿の裏面を読み取るものである。
【００１９】
請求項３記載の画像読取装置は、請求項１又は２に記載の画像読取装置において、前記プレスキャン手段による読み取りの終了位置以降に前記原稿を搬送する搬送速度を、両読取位置間の搬送距離と前記要求に従う読取解像度とに基づいて、｛（前記離間距離−前記プレスキャン手段による副走査方向の読み取り長さ）／前記検知手段による原稿サイズの検知の開始から終了までの時間｝より小さい値に設定すると共に、前記第１の読取手段が該原稿の一面の副走査方向を読み取る速度として継続する搬送速度制御手段を備えている。
【００２０】
請求項４記載の画像読取装置は、請求項３記載の画像読取装置において、前記本スキャン手段により得られた画像データに従う記録を要求された記録画質で記録媒体に施す記録手段と、前記プレスキャン手段による読み取りの終了位置以降に前記原稿を搬送するときの搬送速度を記録画質及び／又は記録媒体の種類に関連付けて記憶する第３の記憶手段と、記録画質の要求値及び／又は記録媒体の種類の要求値を入力する要求値入力手段とを備え、前記搬送速度制御手段は、前記要求値入力手段により入力された要求値に基づき、前記第３の記憶手段に記憶される内容から前記搬送速度を決定し、該搬送速度を制御するものである。
【００２１】
請求項５記載の画像読取制御方法は、原稿を搬送する搬送手段と、その搬送手段により搬送される原稿の表面を主走査方向に読み取る第１の読取手段と、前記第１の読取手段により読み取った前記原稿の表面の画像データを記憶する第１の記憶手段とを有する画像読取装置にて、前記第１の読取手段による前記原稿の表面の読み取りを制御する方法であって、前記画像読取装置は、前記第１の読取手段による読取位置から、前記搬送方向を遡る側に所定距離だけ離間した位置にて、該原稿の一面を主走査方向に読み取る第２の読取手段と、その第２の読取手段により読み取った前記原稿の画像データを記憶する第２の記憶手段とを有しており、前記搬送手段により搬送される原稿が前記第２の読取手段による読取位置に到達した場合に、該原稿の搬送方向先端から前記搬送方向に、前記第１の読取手段による読取位置と前記第２の読取手段による読取位置との離間距離より短い所定範囲に亘って前記第２読取手段による該原稿の読み取りを実行して、その読み取りにより得られた画像データを前記第２の記憶手段に記憶するプレスキャン工程と、そのプレスキャン工程において前記第２の記憶手段に記憶された画像データに基づいて、前記原稿に対する原稿サイズの検知を行う検知工程と、前記搬送手段により搬送される原稿が前記第１の読取手段による読取位置に到達した場合に、前記第１読取手段による該原稿の表面の読み取りを要求に従う読取解像度で実行して、その読み取りにより得られた画像データを前記第１の記憶手段に記憶する本スキャン工程と、前記検知工程により検知された原稿サイズに基づき、前記第１の記憶手段に記憶されている画像データを処理する画像処理工程とを含んで構成される。
【００２２】
請求項６記載の画像読取制御プログラムは、原稿を搬送する搬送手段と、その搬送手段により搬送される原稿の表面を主走査方向に読み取る第１の読取手段と、前記第１の読取手段により読み取った前記原稿の表面の画像データを記憶する第１の記憶手段とを有する画像読取装置を制御するコンピュータに実行させるためのプログラムであって、前記画像読取装置は、前記第１の読取手段による読取位置から、前記搬送方向を遡る側に所定距離だけ離間した位置にて、該原稿の一面を主走査方向に読み取る第２の読取手段と、その第２の読取手段により読み取った前記原稿の画像データを記憶する第２の記憶手段とを有しており、前記搬送手段により搬送される原稿が前記第２の読取手段による読取位置に到達した場合に、該原稿の搬送方向先端から前記搬送方向に、前記第１の読取手段による読取位置と前記第２の読取手段による読取位置との離間距離より短い所定範囲に亘って前記第２読取手段による該原稿の読み取りを実行して、その読み取りにより得られた画像データを前記第２の記憶手段に記憶するプレスキャンステップと、そのプレスキャンステップにより前記第２の記憶手段に記憶された画像データに基づいて、前記原稿に対する原稿サイズの検知を行う検知ステップと、前記搬送手段により搬送される原稿が前記第１の読取手段による読取位置に到達した場合に、前記第１読取手段による該原稿の表面の読み取りを要求に従う読取解像度で実行して、その読み取りにより得られた画像データを前記第１の記憶手段に記憶する本スキャンステップと、前記検知ステップにより検知された原稿サイズに基づき、前記第１の記憶手段に記憶されている画像データを処理する画像処理ステップとを、前記コンピュータに実行させるものである。
【発明の効果】
【００２３】
請求項１記載の画像読取装置によれば、本スキャン手段による原稿の表面の読み取り（即ち、第１の読取手段による原稿の読み取り）を行う前に、プレスキャン手段による原稿の一面の読み取りを実行し、検知手段による原稿サイズの検知を行う。ここで、プレスキャン手段による原稿の読み取りは、第１の読取手段による読取位置から搬送方向を遡る側に所定距離だけ離間した位置にて、第２の読取手段によって行われ、このときの副走査方向の読取範囲が、該第２の読取手段による読取位置と第１の読取手段による読取位置との離間距離より短い所定範囲とされる。
【００２４】
よって、プレスキャン手段による原稿の読み取りの完了後、原稿の副走査方向先端が、本スキャン手段による原稿の読取位置である第１の読取手段による読取位置まで搬送される原稿の移動時間を、検知手段による原稿サイズの検知を行う期間に充てることができるので、その移動時間分だけ、原稿の読み取りの全工程が終了するまでに要する時間を短縮できるという効果がある。
【００２５】
請求項２記載の画像読取装置によれば、請求項１記載の画像読取装置の奏する効果に加え、次の効果を奏する。プレスキャン手段による読み取りに使用する第２の読取手段が、原稿の裏面を読み取るものであるので、原稿の両面を一度に読み取ることができる画像読取装置の裏面読み取り用の読取手段を流用できる。よって、プレスキャン手段による読取専用の読取手段を第２の読取手段として設ける必要がないので、製造コストの上昇を抑制することができるという効果がある。
【００２６】
請求項３記載の画像読取装置によれば、請求項１又は２に記載の画像読取装置の奏する効果に加え、次の効果を奏する。プレスキャン手段による読み取りの終了位置以降における原稿の搬送速度が、搬送速度制御手段により、｛（前記離間距離−前記プレスキャン手段による副走査方向の読み取り長さ）／前記検知手段による原稿サイズの検知の開始から終了までの時間｝より小さい値とされるので、プレスキャン手段による原稿の読み取りの完了後、原稿の副走査方向先端が、第１の読取手段による読取位置までに到達する前に、検知手段による原稿サイズの検知を完了させることができる。
【００２７】
よって、本スキャン手段による読み取り前に原稿サイズの検知を終了させるために原稿の搬送を停止させなくてもよいので、原稿の読み取りの全工程が終了するまでに要する時間を短縮できる。さらに、原稿の搬送を停止する必要がないので、搬送を停止した場合に必然的に生じる搬送再開時の加速が生じず、かかる搬送再開時の加速によって次の１ラインの読取画像が副走査方向に伸びることが防止され、高画質の画像を得ることができるという効果がある。
【００２８】
また、搬送速度制御手段により、設定された搬送速度が第１の読取手段による原稿の副走査方向の読取速度として継続して使用されるので、本スキャン手段による原稿の読み取りを一定速度で行うことができるので、第１読取手段による読み取り中の加速による画質劣化を防止することができるという効果がある。
【００２９】
請求項４記載の画像読取装置によれば、請求項３記載の画像読取装置の奏する効果に加え、次の効果を奏する。第３の記憶手段には、プレスキャン手段による読み取りの終了位置以降における原稿の搬送速度が、記録画質及び／又は記録媒体の種類に関連付けて記憶されているので、記録画質の要求値及び／又は記録媒体の種類の要求値が入力された場合に、プレスキャン手段による読み取りの終了位置以降における最適な搬送速度を容易に設定することができるという効果がある。
【００３０】
請求項５記載の画像読取制御方法、及び、請求項６記載の画像読取制御プログラムによれば、どちらも、請求項１記載の画像読取装置と同様の効果を奏することができる。
【図面の簡単な説明】
【００３１】
【図１】（ａ）は、本発明の一実施形態における複合機の主な構成を示す模式図であり、（ｂ）は、（ａ）の複合機の電気回路構成の概略を示すブロック図である。
【図２】（ａ）は、解像度テーブルの内容を示す模式図であり、（ｂ）は、搬送速度テーブルの内容を示す模式図である。
【図３】複合機のＣＰＵにより実行される画像読取処理を示すフローチャートである。
【図４】（ａ）は、ＡＤＦを有するスキャナの主な構成を示す模式図であり、（ｂ）は、ＡＤＦ読取時における原稿サイズ検知の一例を説明するための模式図である。
【図５】従来のＡＤＦ読取による画像読取処理を示すフローチャートである。
【発明を実施するための形態】
【００３２】
以下、本発明の好ましい実施形態について、添付図面を参照して説明する。図１（ａ）は、本発明における一実施形態の複合機１の主な構成を示す模式図である。複合機１は、プリント機能や、コピー機能や、スキャナ機能など、複数の機能を１台に備えた装置であり、本発明の画像読取装置を構成するものである。
【００３３】
図１（ａ）に示すように、複合機１は、フラットベッドスキャナとして機能する原稿載置台２と、その原稿載置台２を覆うカバーであって、給紙トレイ３と排紙トレイ（図示せず）と給紙トレイ３から排紙トレイまで図示されない搬送経路に沿って原稿Ｐを搬送させるＡＤＦ４とを有する原稿カバー５とを含んで構成される。
【００３４】
また、複合機１は、原稿載置台２の上面に配設された読取ガラス（図示せず）の下方に、主走査方向（紙面垂直方向）に沿って配置される第１読取ユニット６ａを第１の読取手段として有している。この第１読取ユニット６ａは、ＣＩＳとＬＥＤ等の光源とから構成され、読取ガラス越しに写る原稿Ｐの読取面に光源から照射される光の反射光をＣＩＳによって受光し、原稿Ｐの読取面を１ラインずつ読み取るものである。
【００３５】
第１読取ユニット６ａは、副走査方向に往復移動可能であり、原稿載置台２に原稿Ｐを載置させて読み取りを行う場合には、第１読取ユニット６ａを副走査方向（矢印Ｙ方向）に移動させつつ、読取ガラス越しに写る原稿Ｐの読取面を１ラインずつ読み取る。また、ＡＤＦ４を用いるＡＤＦ読取を行う場合には、第１読取ユニット６ａを、ＡＤＦ４により搬送される原稿Ｐを読み取り可能な所定位置に位置させ、ＡＤＦ４により原稿Ｐを搬送させながら、読取ガラス越しに写る原稿Ｐの読取面を１ラインずつ順次読み取る。
【００３６】
さらに、複合機１は、第１読取ユニット６ａと同様に構成される第２読取ユニット６ｂを、第２の読取手段として有している。第２読取ユニット６ｂは、図１（ａ）に示すように、第１読取ユニット６ａから図示されない搬送経路を遡る側であって、第１の読取ユニット６ａによる原稿Ｐの読取面とは反対側の面を読み取ることができる位置に固定配置されている。図１（ａ）に示すように、第１読取ユニット６ａによる読取位置６ａ１から第２読取ユニットによる読取位置６ｂ１まで用紙が搬送される距離（以下、この距離を単に「読取ユニット離間距離」と称する）はＭである。
【００３７】
複合機１は、２つの読取ユニット６ａ，６ｂが搬送経路に沿って設けられているので、ＡＤＦ４により原稿Ｐを搬送させながら、原稿Ｐの両面を一度に読み取ることができる。なお、本明細書及び特許請求の範囲では、第１読取ユニット６ａにより読み取られる原稿Ｐの読取面を「表面」と称し、第２読取ユニット６ｂにより読み取られる原稿Ｐの読取面を「裏面」と称している。
【００３８】
詳細は後述するが、本実施形態の複合機１は、ＡＤＦ４により原稿Ｐを搬送させながら、第１読取ユニット６ａによって原稿Ｐの表面のみを読み取る場合に（以下、「ＡＤＦ片面読取」と称する）、第２読取ユニット６ｂを利用して、原稿Ｐの副走査方向の先端から、原稿Ｐの副走査方向の長さ（本実施形態では、原稿Ｐの長手幅）より短い距離Ｌ（例えば、３０ｍｍ）に亘る範囲で原稿Ｐを読み取り、原稿サイズの検知を行う。なお、以下では、副走査方向の先端を単に「先端」と称する。
【００３９】
なお、複合機１は、記録紙への印刷が可能なプリンタ部１６（図１（ｂ）参照）や、複合機１への指示を入力可能な操作パネル１７（図１（ｂ）参照）などを有しているが、図１（ａ）では、発明の理解を容易にする目的で、これら一部構成の記載は省略している。
【００４０】
図１（ｂ）は、複合機１の電気的構成を示すブロック図である。図１（ｂ）に示すように、複合機１は、複合機１の全体の動作を制御するＣＰＵ１１と、そのＣＰＵ１１により実行される各種の制御プログラムや固定値データを記憶するＲＯＭ１２と、ＣＰＵ１２により実行される各種処理に必要なデータ等を一時的に記憶するＲＡＭ１３と、読取インターフェイス（読取Ｉ／Ｆ）１５と、第１読取ユニット６ａと、第２読取ユニット６ｂと、ＡＤＦ４と、プリンタ部１６と、操作部とＬＣＤ等の表示部とから構成される操作パネル１７と、パーソナルコンピュータなどの外部装置との接続を可能とするインターフェイスであるＩ／Ｆ１８と有している。
【００４１】
ＣＰＵ１１と、ＲＯＭ１２と、ＲＡＭ１３と、読取Ｉ／Ｆ１５と、ＡＤＦ４と、プリンタ部１６と、操作パネル１７と、Ｉ／Ｆ１８とは、バスラインにより相互に接続されており、第１読取ユニット６ａ及び第２読取ユニット６ｂは、読取Ｉ／Ｆ１５に接続されている。この複合機１は、操作パネル１７上の操作部からの指示入力に基づいて、入力された指示に基づく所定の動作を実行する。また、複合機１は、Ｉ／Ｆ１８を介して接続される外部装置から対応ドライバを介して送信される指示によっても動作する。
【００４２】
ＲＯＭ１２は、後述する画像読取処理（図３参照）を実行する本発明の画像読取プログラムである画像読取プログラム１２ａと、解像度テーブル１２ｂと、搬送速度テーブル１２ｃとを有している。なお、テーブル１２ｂ，１２ｃについては、図２（ａ）及び図２（ｂ）を参照して後述する。
【００４３】
ＲＡＭ１３は、第１ラインバッファ１３ａと、第２ラインバッファ１３ｂとを有している。第１ラインバッファ１３ａは、原稿サイズ検知用の読取画像データを格納するバッファであり、第２ラインバッファ１３ｂは、第１読取ユニット６ａによる読み取りにより得られた読取画像データを格納するバッファである。
【００４４】
プリンタ部１６は、記録ヘッド（図示せず）と、その記録ヘッドに供給されるインクが充填されたインクカートリッジを装着する装着部（図示せず）などを含んで構成される。また、プリンタ部１６は、記録紙を収容する給紙トレイ（図示せず）と、印刷後の記録紙を排出する排紙トレイ（図示せず）とを有している。
【００４５】
次に、図２を参照して、上述した解像度テーブル１２ｂ及び搬送速度テーブル１２ｃについて説明する。図２（ａ）は、解像度テーブル１２ｂの内容を示す模式図であり、図２（ｂ）は、搬送速度テーブルの内容を示す模式図である。
【００４６】
図２（ａ）に示すように、解像度テーブル１２ｂは、原稿Ｐの画像をコピー機能によりプリンタ部１６により印刷（記録）する場合の印刷画質（画質１２ｂ１）と、記録に使用する記録紙の種類（記録紙種類１２ｂ２）と、ＡＤＦ片面読取時における第１読取ユニット６ａによる原稿Ｐの表面の読み取り（以下、「本スキャン」と称する）を行う場合の読取解像度とを対応付けたテーブルである。図２（ａ）に示す例では、３種類の画質１２ｂ１（「Ｆａｓｔ」、「Ｎｏｍａｌ」、「Ｂｅｓｔ」）と、３種類の記録画質（「Ｐｌａｉｎ」、「Ｉｎｋｊｅｔ」、「Ｇｌｏｓｓｙ」）との各々の組み合わせに対し、本スキャン時の読取解像度が対応付けられている。
【００４７】
ユーザが、コピー機能を使用するにあたり、所望の印刷画質と使用する記録紙の種類とを、操作パネル１７上の操作部の操作、又は、Ｉ／Ｆ１８を介して接続される外部装置の操作により入力すると、これら２つの入力値及び解像度テーブル１２ｂに基づいて、本スキャン時に使用する読取解像度が決定される。例えば、ユーザが、画質１２ｂ１として「Ｎｏｍａｌ」を入力（要求）し、記録紙種類１２ｂ２として「Ｐｌａｉｎ」を入力（要求）した場合には、解像度テーブル１２ｂに基づき、「４５０ｄｐｉ」が、本スキャン時に使用する読取解像度として決定される。
【００４８】
図２（ｂ）に示すように、搬送速度テーブル１２ｃは、本スキャン時の読取解像度（解像度１２ｃ１）と、主走査方向に最大の読取範囲である主走査最大読取範囲（主走査最大読取範囲１２ｃ１）と、原稿Ｐの搬送速度とを対応付けるテーブルである。図２（ｂ）に示す例では、４種類の解像度１２ｃ１（「３００ｄｐｉ」、「４５０ｄｐｉ」、「６００ｄｐｉ」、「１２００ｄｐｉ」）と、２種類の主走査最大読取範囲１２ｃ１（「Ａ４」、「Ａ３」）との各々の組み合わせに対し、Ｖ１からＶ８までの搬送速度が対応付けられている。
【００４９】
解像度１２ｃ１は、ユーザが、スキャナ機能を使用するにあたり、操作パネル１７上の操作部の操作、又は、Ｉ／Ｆ１８を介して接続される外部装置の操作により入力（要求）した読取解像度とされる。あるいは、ユーザが、コピー機能を使用する場合には、上述した解像度テーブル１２ｂから得た読取解像度が解像度１２ｃ１として適用される。
【００５０】
主走査最大読取範囲１２ｃ２は、ユーザが、スキャナ機能又はコピー機能を使用するにあたり、操作パネル１７上の操作部の操作、又は、Ｉ／Ｆ１８を介して接続される外部装置の操作により指定された値とされる。なお、ユーザは、原稿Ｐの実際の大きさ以上の適当なサイズ（例えば、Ｂ５サイズであれば「Ａ４」）を主走査最大読取範囲として入力する。
【００５１】
解像度１２ｃ１及び主走査最大読取範囲１２ｃ２が入力されると、これらの入力値及び搬送速度テーブル１２ｃに基づいて、原稿Ｐの搬送速度が決定される。例えば、解像度１２ｃ１として「６００ｄｐｉ」が入力され、主走査最大読取範囲１２ｃ２として「Ａ３」が入力されると、搬送速度テーブル１２ｃに基づき、「Ｖ７」が搬送速度といて決定される。
【００５２】
本実施形態では、搬送速度テーブル１２ｃにより決定される搬送速度Ｖ１からＶ８までの各値は、読取ユニット離間距離Ｍと、ＡＤＦ片面読取時における第２読取ユニット６ｂによる検知用画像の読み取り（以下、「プレスキャン」と称する）後に、原稿サイズを検知する処理に要する時間とを考慮し、本スキャンが開始される前（即ち、原稿Ｐの先端が第１読取ユニット６ａによる読取位置６ａ１に到達する前）までに、原稿サイズ検知処理が終了する搬送速度とされている。
【００５３】
即ち、解像度１２ｃ１及び主走査最大読取範囲１２ｃ２に基づき搬送速度テーブル１２ｃにより決定される搬送速度は、（読取ユニット離間距離Ｍ／第２読取ユニット６ｂによるプレスキャンの開始から原稿サイズ検知処理の終了までの時間）より小さい値とされている。換言すれば、搬送速度テーブル１２ｃにより決定される搬送速度は、｛（読取ユニット離間距離Ｍ−距離Ｌ）／原稿サイズ検知処理の終了までの時間）｝より小さい値である。
【００５４】
同じ主走査読取範囲１２ｃ２について比較した場合に、解像度１２ｃ１の値が大きい程、原稿サイズ検知処理が完了するまでの時間が長くなるため、遅く搬送する必要がある。よって、搬送速度は、Ｖ１＞Ｖ２＞Ｖ３＞Ｖ４であり、Ｖ５＞Ｖ６＞Ｖ７＞Ｖ８である。一方、同じ解像度１２ｂ１について比較した場合に、主走査最大読取範囲１２ｃ２の値が大きい程、原稿サイズ検知処理が完了するまでの時間が長くなるため、遅く搬送する必要がある。よって、搬送速度は、Ｖ１＞Ｖ５であり、Ｖ２＞Ｖ６であり、Ｖ３＞Ｖ７であり、Ｖ４＞Ｖ８である。
【００５５】
このように、本実施形態の複合機１によれば、ＡＤＦ片面読取時には、解像度１２ｃ１（読取解像度）と主走査最大読取範囲１２ｃ２とに応じて、本スキャンが開始される前までに原稿サイズ検知処理が終了する搬送速度が決定される。よって、プレスキャン後に原稿Ｐの搬送を停止することなく、第１読取ユニット６ａによる本スキャンを開始することができるので、プレスキャン後に原稿Ｐの搬送が停止される場合に比べ、原稿Ｐの本スキャンが終了するまでに要する時間（即ち、原稿Ｐの搬送開始から本スキャンが終了するまでの全工程に要する時間）を短縮することができる。
【００５６】
なお、搬送速度テーブル１２ｃにより決定される搬送速度は、｛（読取ユニット離間距離Ｍ−距離Ｌ）／原稿サイズ検知処理の終了までの時間）｝に近い値である程、原稿サイズ検知処理が終了したタイミングでの原稿Ｐの先端の位置が、第１読取ユニット６ａによる読取位置６ａ１に近くなり、原稿サイズ検知処理の終了後、早い時期に本スキャンを開始することができるので、好ましい。
【００５７】
次に、図３を参照して、上述した構成を有する本実施形態の複合機１にて実行される画像読取装置について説明する。図３は、複合機１のＣＰＵ１１により実行される画像読取処理を示すフローチャートである。なお、図３に示す処理は、ＲＯＭ１２に格納される画像読取プログラム１２ａに基づいて実行される。
【００５８】
画像読取処理は、操作パネル１７上の操作部の操作、又は、Ｉ／Ｆ１８を介して接続される外部装置の操作により、コピー指示又はスキャンの指示のいずれかが入力されると起動し、まず、原稿Ｐの読み取りをＡＤＦ片面読取で行うか否かを確認する（Ｓ１１）。ここで、ＡＤＦ片面読取以外である場合には（Ｓ１１：Ｎｏ）、設定に応じたコピーやスキャンを行う通常の処理を実行し（Ｓ２８）、画像読取処理を終了する。
【００５９】
一方で、Ｓ１１の処理により確認した結果、原稿Ｐの読み取りをＡＤＦ片面読取で行う場合には（Ｓ１１：Ｙｅｓ）、入力された指示がコピーの指示であるかを確認し（Ｓ１２）、コピーの指示であれば（Ｓ１２：Ｙｅｓ）、ユーザが要求する印刷画質及び記録紙の種類に基づき、解像度テーブル１２ｂを用いて、本スキャン時の読取解像度を決定し（Ｓ１３）、Ｓ１４の処理へ移行する。Ｓ１２の処理により確認した結果、指示がスキャンの指示であれば（Ｓ１２：Ｎｏ）、Ｓ１３の処理をスキップして、Ｓ１４の処理へ移行する。
【００６０】
Ｓ１４では、本スキャン時の読取解像度とユーザにより指定された主走査最大読取範囲とに基づき、搬送速度テーブル１２ｃを用いて、原稿Ｐの搬送速度を決定する（Ｓ１４）。このとき、本スキャン時の読取解像度は、コピー指示を契機として実行されている画像読取処理であれば、Ｓ１２の処理により決定された値であり、スキャン指示を契機として実行されている画像読取処理であれば、ユーザが要求する読取解像度である。
【００６１】
次いで、決定された搬送速度で原稿Ｐの搬送を開始し（Ｓ１５）、原稿Ｐの先端が第２読取ユニット６ｂによる読取位置６ｂ１（以下、単に「裏面読取位置」と称する）に到達したかを確認する（Ｓ１６）。ここで、原稿Ｐの先端が裏面読取位置に到達していなければ（Ｓ１６：Ｎｏ）、Ｓ１６の処理へ戻る。
【００６２】
一方、原稿Ｐの先端が裏面読取位置に到達した場合には（Ｓ１６：Ｙｅｓ）、プレスキャンとして、第２読取ユニット６ｂによる１ラインの画像読み取りを、ユーザにより指定された主走査最大読取範囲で実行する（Ｓ１７）。このとき、Ｓ１２の処理により決定された読取解像度（コピー機能使用時）、又は、ユーザが要求する読取解像度（スキャン機能使用時）で原稿Ｐの読み取りを行う。そして、読み取った画像データを、その解像度を落とした上で、第１ラインバッファ１３ａに格納する（Ｓ１８）。
【００６３】
Ｓ１８の処理後、原稿Ｐの副走査方向の長さ（本実施形態では、原稿Ｐの長手幅）より短い距離Ｌ（図１（ａ）参照）分の読み取りが終了したかを確認し（Ｓ１９）、距離Ｌ分の読み取りが未だ終了していなければ（Ｓ１９：Ｎｏ）、Ｓ１７へ戻り、次の１ラインの読み取りと、読み取りにより得られた画像データの第１ラインバッファ１３ａへの格納とを行う。
【００６４】
一方、距離Ｌ分の読み取りが終了した場合には（Ｓ１９：Ｙｅｓ）、第１ラインバッファ１３ａに格納されている画像データを用いて、周知の原稿サイズ検知処理を実行する（Ｓ２０）。この原稿サイズ検知処理では、第１ラインバッファ１３ａに格納されている画像データから、エッジ抽出画像を作成し、そのエッジ抽出画像から、原稿Ｐの１辺の寸法（本実施形態では、短手幅）を求め、ＲＯＭ１２の所定領域に記憶されている原稿サイズの寸法に基づき、原稿サイズを検出する。なお、原稿サイズ検知処理により、原稿Ｐの主走査方向（副操作方向）に対する傾きも検出することができる。
【００６５】
原稿サイズ検知処理（Ｓ２０）の実行後、原稿サイズ検知処理の処理結果に基づいて、本スキャン時における主走査方向の読取範囲を決定し（Ｓ２１）、原稿Ｐの先端が第１読取ユニット６ａによる読取位置６ａ１（以下、単に「表面読取位置」と称する）に到達したかを確認する（Ｓ２２）。ここで、原稿Ｐの先端が表面読取位置に到達していなければ（Ｓ２２：Ｎｏ）、Ｓ２２の処理へ戻る。
【００６６】
一方、原稿Ｐの先端が表面読取位置に到達した場合には（Ｓ２２：Ｙｅｓ）、本スキャンとして、第１読取ユニット６ａによる１ラインの画像読み取りを、Ｓ２１の処理により決定された主走査方向の読取範囲で実行する（Ｓ２３）。このときの読取解像度もまた、プレスキャン時と同様に、Ｓ１２の処理により決定された読取解像度（コピー機能使用時）、又は、ユーザが要求する読取解像度（スキャン機能使用時）である。
【００６７】
Ｓ２３の処理後、読み取った画像データを、第２ラインバッファ１３ｂに格納し（Ｓ２４）、原稿Ｐの読み取りが終了したか、即ち、原稿Ｐの副走査方向の終端が表面読取位置（読取位置６ａ１）に到達したかを確認する（Ｓ２５）。このとき、原稿Ｐの読み取りが未だ終了していなければ（Ｓ２５：Ｎｏ）、Ｓ２３へ戻り、次の１ラインの読み取りと、読み取りにより得られた画像データの第２ラインバッファ１３ｂへの格納とを行う。
【００６８】
一方、原稿Ｐの読み取りが終了した場合には（Ｓ２５：Ｙｅｓ）、第２ラインバッファ１３ｂに格納されている画像データを、Ｓ２０の原稿サイズ検知処理による処理結果に基づいて処理し（Ｓ２６）する。Ｓ２６の処理では、原稿サイズ検知処理の処理結果に基づき、画像を必要に応じて回転させた後、検知された原稿サイズに応じた主走査方向の切り出しを行う。なお、Ｓ２６の処理により得られた画像データは、ＲＡＭ１３内の所定領域に格納する。
【００６９】
Ｓ２６の処理後、コピーであるかスキャンであるかに応じた各処理を実行する（Ｓ２７）。具体的には、コピー機能使用時であれば、Ｓ２６の処理により得られた画像データ（処理後にＲＡＭ１３に格納された画像データ）をユーザにより要求された印刷画質の印刷データに変換した後、プリンタ部１６により印刷を行う。一方、スキャン機能使用時であれば、Ｓ２６の処理によりＲＡＭ１３に格納された画像データをファイル化して、ＲＡＭ１３、又は、Ｉ／Ｆ１８を介して接続される外部装置に記憶させる。Ｓ２７の処理後、画像読取処理を終了する。
【００７０】
以上説明したように、本実施形態の複合機１によれば、原稿Ｐの裏面を読み取る第２読取ユニット６ｂが、原稿Ｐの表面を読み取る第１読取ユニット６ａより搬送経路を遡る側に設けられており、ＡＤＦ片面読取時には、第２読取ユニット６ｂを利用して、原稿サイズの検出を行うためのプレスキャンを行うので、プレスキャンの終了後から、第１読取ユニット６ａによる本スキャンが開始されるまでの、原稿Ｐの搬送時間（移動時間）を原稿サイズ検知処理の実行期間に充てることができるので、その搬送時間分だけ、原稿Ｐの本スキャンが終了するまでに要する時間を短縮することができる。
【００７１】
特に、本実施形態の複合機１によれば、ユーザによる印刷画質や記録紙の種類や読取解像度の要求に従う読取解像度に応じて、本スキャンが開始される前までに原稿サイズ検知処理が終了する搬送速度が決定されるので、プレスキャン後に原稿Ｐの搬送を停止することなく、第１読取ユニット６ａによる本スキャンを開始することができる。よって、プレスキャン後に原稿Ｐの搬送が停止される場合に比べ、原稿Ｐの本スキャンが終了するまでに要する時間を短縮することができる。
【００７２】
また、決定された搬送速度は、原稿サイズ検知処理後に行われる本スキャン時の搬送速度としても継続して用いられる。よって、原稿Ｐの搬送が搬送開始から最後まで停止されないので、搬送を停止した場合に必然的に生じる搬送再開時の加速が本スキャンの途中で生じず、かかる搬送再開時の加速によって次の１ラインの読取画像が副走査方向に伸びることを防止できるので、画質劣化が防止され、高画質の画像を得ることができる。また、原稿Ｐを一定速度に搬送させながら、本スキャンを行うができるので、本スキャン中の加速による画質劣化を防止することができる。
【００７３】
さらに、本実施形態の複合機１によれば、ユーザによる印刷画質や記録紙の種類や読取解像度の要求に従う読取解像度に基づいて、搬送速度テーブル１２ｃを用いて搬送速度を決定するので、最適な搬送速度を容易に決定することができる。また、読取画像の印刷を伴うコピー機能使用時には、ユーザによる印刷画質や記録紙の種類の要求に基づいて、解像度テーブル１２ｂを用いて、搬送速度テーブル１２ｃを参照するための読取解像度が決定されるので、最適な印刷画像が得られると共に、原稿Ｐの本スキャンが終了するまでに要する時間を最適化できる搬送速度を容易に決定することができる。
【００７４】
また、本実施形態の複合機１では、原稿サイズ検知処理の処理結果に基づいて、本スキャン時における主走査方向の読取範囲を決定する。よって、本スキャン時における主走査方向の読取範囲を、プレスキャン時に使用する主走査最大読取範囲以下にすることができる。本スキャン時における主走査方向の読取範囲が小さい程、読取画像データの大きさが小さくなるので、メモリの消費量が小さくなり、ＣＰＵ１１の処理負荷を軽減することができる。
【００７５】
また、本実施形態の複合機１によれば、ＡＤＦ片面読取時において原稿サイズの検出を行う読取手段として、原稿Ｐの裏面側を読み取る第２読取ユニット６ｂを利用するので、原稿サイズ検出用の読取手段を設けることなく、本スキャンの開始前に原稿サイズ検知処理を終了させることができるので、製造コストの上昇を抑制できる。
【００７６】
以上実施形態に基づき本発明を説明したが、本発明は上述した実施形態に何ら限定されるものでなく、本発明の趣旨を逸脱しない範囲内で種々の改良変形が可能であることは容易に推察できるものである。
【００７７】
例えば、上記実施形態では、原稿Ｐの裏面側を読み取る第２読取ユニット６ｂを利用して、ＡＤＦ片面読取時における原稿サイズの検出を行う構成としたが、第１読取ユニット６ａより搬送経路を遡る側に原稿サイズ検出専用の読取ユニットを設ける構成としてもよい。原稿サイズ検出専用の読取ユニットは、原稿Ｐの表面を読み取るものであっても、裏面を読み取るものであってもよい。
【００７８】
また、上記実施形態では、解像度テーブル１２ｂを、印刷画質（画質１２ｂ１）と、記録紙の種類（記録紙種類１２ｂ２）と、本スキャン時の読取解像度とを対応付けたテーブルとして構成したが、印刷画質又は記録紙の種類と、本スキャン時の読取解像度とを対応付けたテーブルとして構成してもよい。即ち、印刷画質と記録紙の種類との両方ではなく、いずれか一方のパラメータに対して、本スキャン時の読取解像度を決定できる構成としてもよい。
【００７９】
また、上記実施形態では、ユーザによる要求に従う読取解像度に応じて、搬送速度テーブル１２ｃを用いて決定された｛（読取ユニット離間距離Ｍ−距離Ｌ）／原稿サイズ検知処理の終了までの時間）｝より小さい値である搬送速度を、原稿Ｐの搬送開始時から使用したが、この搬送速度は、少なくとも、第２読取ユニット６ｂによるプレスキャンの完了後から適用されていればよい。例えば、第２読取ユニット６ｂによるプレスキャン時の搬送速度を、搬送速度テーブル１２ｃを用いて決定された決定された搬送速度より速い速度とすることにより、原稿Ｐの本スキャンが終了するまでに要する時間をより短くすることができる。
【００８０】
また、上記実施形態では、プレスキャンによる読取画像データを格納する第１ラインバッファ１３ａと、本スキャンによる読取画像データを格納する第２ラインバッファ１３ｂとを設ける構成としたが、これらを共通化し、プレスキャンによる読取画像データを格納した後、本スキャンによる読取画像データを上書きする構成としてもよい。
【００８１】
また、上記実施形態では、プレスキャン時の読取解像度を、本スキャン時の読取解像度とし、第２読取ユニット６ｂにより読み取った画像データを、その解像度を落とした上で、第１ラインバッファ１３ａに格納する構成としたが、プレスキャン時に適用される低い解像度で原稿を読み取り、得られた画像データを第１ラインバッファ１３ａに格納する構成としてもよい。
【００８２】
また、上記実施形態では、複合機１を本発明の画像読取装置として例示したが、ＡＤＦを有し、原稿の裏面を読み取る読取ユニットが、原稿の表面を読み取る読取ユニットより搬送経路を遡る側に設けられているスキャナを本発明の画像読取装置としてもよい。
【符号の説明】
【００８３】
１        複合機（画像読取装置の一例）
４        ＡＤＦ（搬送手段の一例）
６ａ      第１読取ユニット（第１の読取手段の一例）
６ｂ      第２読取ユニット（第２の読取手段の一例）
１２ａ    解像度テーブル（第３の記憶手段の一部の一例）
１２ｂ    搬送速度テーブル（第３の記憶手段の一部の一例）
１３ａ    第１ラインバッファ（第２の記憶手段の一例）
１３ｂ    第２ラインバッファ（第１の記憶手段の一例）
１６      プリンタ部（記録手段の一例）
１７      操作パネル（画質入力手段の一例）
１８      Ｉ／Ｆ（画質入力手段の一例）
Ｓ１４    搬送速度制御手段の一部の一例、搬送速度制御工程の一部の一例、搬送速度制御ステップの一部の一例
Ｓ１７    プレスキャン手段の一例、プレスキャン工程の一例、プレスキャンステップの一例
Ｓ２０    検知手段の一例、検知工程の一例、検知ステップの一例
Ｓ２３    スキャン手段の一例、本スキャン工程の一例、本スキャンステップの一例
Ｓ２６    画像処理手段の一例、画像処理工程の一例、画像処理ステップの一例
【図１】
2010199978.tif 000003
【図２】
2010199978.tif 000004
【図３】
2010199978.tif 000005
【図４】
2010199978.tif 000006
【図５】
2010199978.tif 000007